(57)【要約】  【課題】  通信可否の状態及びユーザの意図を反映させた適切な処理を実行する。  【解決手段】  通信圏内にあるＲ／Ｗ２００との間で所定の機能を実行可能な携帯情報端末１００であって、前記機能の有効又は無効を選択するためのボタン管理部４０と、Ｒ／Ｗ２００との通信可否を検知する非接触管理部３０と、ボタン管理部４０に対する選択内容及び非接触管理部３０の検知結果に対応付けた処理を実行する表示管理部５０及び非接触管理部３０と、表示管理部５０及び非接触管理部３０の処理を前記選択内容及び前記検知結果に応じて切り替える制御部１０とを備える。【選択図】  図１
2005339108.tif 000002
【特許請求の範囲】
【請求項１】
通信圏内にある情報処理装置との間で所定の機能を実行可能な情報処理端末であって、
前記機能の有効又は無効を選択する選択手段と、
前記情報処理装置との通信可否を検知する検知手段と、
前記選択手段に対する選択内容及び前記検知手段の検知結果に対応付けた処理を実行する実行手段と、
前記実行手段の処理を前記選択内容及び前記検知結果に応じて切り替える制御手段とを備える情報処理端末。
【請求項２】
請求項１記載の情報処理端末であって、
前記選択内容、前記検知結果及び前記情報処理端末が行った処理の内容を記憶する記憶手段を備え、
前記制御手段は、前記記憶手段の記憶内容を参照して、前記実行手段の処理を切り替える情報処理端末。
【請求項３】
請求項１又は２記載の情報処理端末であって、
前記選択手段は、ユーザ操作ボタンとして専用に割り当てられたキーに対する操作に応じて前記機能の有効又は無効を選択する情報処理端末。
【請求項４】
請求項１又は２記載の情報処理端末であって、
前記選択手段は、ユーザ操作ボタンとして任意に割り当てられたキーに対する操作に応じて前記機能の有効又は無効を選択する情報処理端末。
【請求項５】
請求項１ないし４のいずれか一項記載の情報処理端末であって、
前記制御手段は、前記選択手段で選択したタイミングで前記処理を実行させる情報処理端末。
【請求項６】
請求項１ないし４のいずれか一項記載の情報処理端末であって、
前記制御手段は、前記記憶手段の記憶内容に基づいて実行タイミングを制御する情報処理端末。
【請求項７】
請求項３ないし６のいずれか一項記載の情報処理端末であって、
前記制御手段は、前記キーが押下された場合に前記機能を有効にし、前記キーの押下が解除された場合に前記機能を無効にした後前記処理を実行させる情報処理端末。
【請求項８】
請求項３ないし６のいずれか一項記載の情報処理端末であって、
前記制御手段は、前記キーが長押しされた場合に前記機能を有効にし、前記キーが再度長押しされた場合に前記機能を無効にした後前記処理を実行させる情報処理端末。
【請求項９】
請求項３ないし６のいずれか一項記載の情報処理端末であって、
前記制御手段は、前記キーがダブルクリックされた場合に前記機能を有効にし、前記キーが再度ダブルクリックされた場合に前記機能を無効にした後前記処理を実行させる情報処理端末。
【請求項１０】
請求項１ないし９のいずれか一項記載の情報処理端末であって、
前記実行手段は、通信圏内又は通信圏外へ誘導させる出力を行う情報処理端末。
【発明の詳細な説明】
【技術分野】
【０００１】
本発明は、通信圏内にある情報処理装置との間で所定の機能を実行可能な情報処理端末に関する。
【背景技術】
【０００２】
近年、所謂ＩＣカードを装着した情報処理端末やＩＣチップを搭載した携帯情報端末を用い、相手側機器との間で非接触にてデータ処理を行うシステムが実用化されている。一般に、このような非接触のデータ処理は、相手機器のリーダ／ライタ（以下、Ｒ／Ｗと称する）からの搬送波によりＩＣチップが自動的に起動してデータ処理を実行する。
【０００３】
非接触のデータ処理には、電子現金の授受を伴うような重要なデータ処理も含まれるようになったため、ＩＣカードのデータ内容を確認したいというニーズや、ＩＣチップを搭載・装着した携帯情報端末のデータ処理または当該データ処理を担う機能を、端末側で制御したいというニーズが従来あった。そこで、ＩＣカードを装着してボタンを操作することにより、ＩＣカード内のデータを表示可能な情報処理端末（例えば、特許文献１参照）や、非接触データ処理機能の有効又は無効を切り替える非接触データ処理機能切り替え手段を搭載した携帯情報端末などが提案されている。
【特許文献１】特開２０００−１１３０７１号公報（第７−１５頁、第２図）
【発明の開示】
【発明が解決しようとする課題】
【０００４】
しかし、上記の非接触データ処理機能の有効又は無効を切り替える携帯情報端末は、単に非接触データ処理機能のＯＮ又はＯＦＦを切り替えるというものであり、相手側機器との位置関係に基づく非接触データ処理の可否の状態を反映していなかった。そのため、例えば、ユーザが携帯情報端末の非接触データ処理機能をＯＮにしても、実際には相手側機器のＲ／Ｗが非接触データ処理を行える通信圏内にないため非接触データ処理ができない場合があり、通信可否の状態とユーザの操作とが連携していなかった。
【０００５】
本発明は、上記事情に鑑みてなされたものであり、通信可否の状態及びユーザの意図を反映させた適切な処理を実行できる情報処理端末を提供することを目的とする。
【課題を解決するための手段】
【０００６】
本発明の情報処理端末は、通信圏内にある情報処理装置との間で所定の機能を実行可能な情報処理端末であって、前記機能の有効又は無効を選択する選択手段と、前記情報処理装置との通信可否を検知する検知手段と、前記選択手段に対する選択内容及び前記検知手段の検知結果に対応付けた処理を実行する実行手段と、前記実行手段の処理を前記選択内容及び前記検知結果に応じて切り替える制御手段とを備える。
【０００７】
上記構成によれば、実行手段の処理を前記選択内容及び前記検知結果に応じて切り替える制御手段を備えることにより、通信可否と機能の有効又は無効とに応じた処理を実行できる為、通信可否の状態及びユーザの意図を反映させた適切な処理を実行できる。
【０００８】
また、本発明の情報処理端末は、前記選択内容、前記検知結果及び前記情報処理端末が行った処理の内容を記憶する記憶手段を備え、前記制御手段が、前記記憶手段の記憶内容を参照して、前記実行手段の処理を切り替える。上記構成によれば、前記選択内容、前記検知結果及び前記情報処理端末が行った処理の内容を記憶する記憶手段を備えることにより、記憶内容に基づく処理を実行できる。
【０００９】
また、本発明の情報処理端末は、前記選択手段が、ユーザ操作ボタンとして専用に割り当てられたキーに対する操作に応じて前記機能の有効又は無効を選択するものである。また、本発明の情報処理端末は、前記選択手段が、ユーザ操作ボタンとして任意に割り当てられたキーに対する操作に応じて前記機能の有効又は無効を選択するものである。上記構成によれば、任意のキーをユーザ操作ボタンとして割り当てることにより、いずれのキーがユーザ操作ボタンかを知るもの以外は操作ができなくなる為、セキュリティが向上する。
【００１０】
また、本発明の情報処理端末は、前記制御手段が、前記選択手段で選択したタイミングで前記処理を実行させるものである。上記構成によれば、ユーザ等の希望するタイミングで処理が実行される。
【００１１】
また、本発明の情報処理端末は、記制御手段が、前記記憶手段の記憶内容に基づいて実行タイミングを制御するものである。上記構成によれば、記憶手段の記憶内容によって、処理が自動実行される。また、本発明の情報処理端末は、前記制御手段が、前記キーが押下された場合に前記機能を有効にし、前記キーの押下が解除された場合に前記機能を無効にした後前記処理を実行させるものである。また、本発明の情報処理端末は、前記制御手段が、前記キーが長押しされた場合に前記機能を有効にし、前記キーが再度長押しされた場合に前記機能を無効にした後前記処理を実行させるものである。上記構成によれば、キーに対する操作によって機能の有効又は無効を選択できる。
【００１２】
また、本発明の情報処理端末は、前記制御手段が、前記キーがダブルクリックされた場合に前記機能を有効にし、前記キーが再度ダブルクリックされた場合に前記機能を無効にした後前記処理を実行させるものである。
【００１３】
さらに、本発明の情報処理端末は、前記実行手段が、通信圏内又は通信圏外へ誘導させる出力を行うものである。上記構成によれば、選択手段の選択内容及び検知手段の検知結果に応じた誘導が可能となる。
【発明の効果】
【００１４】
本発明の情報処理端末によれば、前記実行手段の処理を前記選択内容及び前記検知結果に応じて切り替える制御手段を備えることにより、通信可否と機能の有効又は無効とに応じた処理を実行できる為、通信可否の状態及びユーザの意図を反映させた適切な処理を実行できる。
【発明を実施するための最良の形態】
【００１５】
図１は、本発明の実施の形態を説明するための携帯情報端末の内部構成を示す図である。携帯情報端末１００は、通信圏内にあるＲ／Ｗ２００との間で所定の機能を実行可能な携帯情報端末であり、主に、制御部１０、状態記憶部２０、非接触管理部３０、ボタン管理部４０、表示管理部５０、表示部６０、非接触部７０、などで構成される。
【００１６】
制御部１０は、携帯情報端末全体の動作を統括制御するブロックで、ＣＰＵ（Central Processing Unit）や、ＲＯＭ（Read Only Memory）及びＲＡＭ（Random Access Memory）などのメモリで構成されている。制御部１０は、非接触管理部３０や表示管理部５０の処理を制御部１０と状態記憶部２０、非接触管理部３０、ボタン管理部４０などの各部はバスで接続している。
【００１７】
状態記憶部２０は、後述する非接触管理部３０が把握する圏内または圏外の状態（Ｒ／Ｗ２００との通信可否の検知結果）、同じく後述するボタン管理部４０が受け付けるボタン押下等の状態（非接触機能の有効又は無効の選択内容）、表示管理部５０が行う表示の状態（携帯情報端末１００が行った処理の内容）などを、状態変化をトリガとして記憶する部分である。制御部１０は、この状態記憶部２０の記憶内容を参照して表示管理部５０や非接触管理部３０の処理を切り替える。状態記憶部２０の記憶内容に基づく携帯情報端末の動作については後で詳述する。
【００１８】
非接触管理部３０は、非接触部７０であるＩＣカードまたはＩＣチップが相手側機器のＲ／Ｗ２００との間で行う非接触データ処理を制御する。特に、非接触データ処理機能のＯＮ／ＯＦＦを制御し、ＯＦＦの場合は非接触部７０とＲ／Ｗ２００との間の非接触データ処理を無効とする。Ｒ／Ｗ２００との間の非接触データ処理を無効とした場合、Ｒ／Ｗ２００からの搬送波を受信しても非接触部７０のＩＣカードやＩＣチップは起動しない。
【００１９】
また非接触管理部３０は、相手側機器のＲ／Ｗ２００との通信可否、即ち、非接触データ処理が可能であるか否かを検知する。制御部１０は、非接触管理部３０が把握する圏内または圏外の情報に基づいて、後述するボタン管理部４０の非接触データ処理ＯＮ／ＯＦＦ切り替えボタンの押下時における非接触管理部３０や表示管理部５０の処理内容を変更させる。
【００２０】
更に非接触管理部３０は、制御部１０からの命令に基づいて、表示部６０に表示するためにＩＣカードやＩＣチップのデータを取得する。尚、非接触部７０とＲ／Ｗ２００との間で行われる非接触データ処理、即ちデータの授受は公知の方式により実施されるので、ここでは詳細な説明を省略する。また、非接触データ処理機能のＯＮ／ＯＦＦ制御も、例えばＩＣカードやＩＣチップへの電源供給のＯＮ／ＯＦＦで制御するなど、公知の手法で制御してよい。
【００２１】
ボタン管理部４０は、携帯情報端末１００の操作ボタン部等を含み、ユーザの入力を検知する。特に、ボタン管理部４０は、非接触データ処理ＯＮ／ＯＦＦ切り替えボタン（図示省略）の押下または長押し等を検知して制御部１０へ伝達することによって、非接触データ処理機能の有効又は無効を選択する。ボタン管理部４０が非接触データ処理ＯＮ／ＯＦＦ切り替えボタンの押下等を検知すると、制御部１０からの命令により、非接触管理部３０は非接触データ処理機能のＯＮ／ＯＦＦを行う。尚、非接触データ処理ＯＮ／ＯＦＦ切り替えボタンは、操作ボタン部とは別に新たに設けたボタンであってもよいし、携帯情報端末１００の既存の操作ボタンからユーザが任意に選択、設定して割り当てるようにしてもよい。この場合、非接触データ処理ＯＮ／ＯＦＦ切り替えがいずれのボタンに割り当てられているかを知るユーザのみがＯＮ／ＯＦＦ切り替え可能になる為、セキュリティが向上する。
【００２２】
表示管理部５０は、液晶ディスプレイなどで構成される表示部６０への表示を制御する。表示管理部５０及び非接触管理部３０は、ボタン管理部４０に対する非接触データ処理機能の選択内容及び非接触管理部３０の通信可否検知結果に対応付けた処理を実行するものである。制御部１０は、表示管理部５０及び非接触管理部３０の処理を、選択内容及び検知結果に応じて切り替える。
【００２３】
［実施の形態１］
図２は、本発明の実施の形態１を説明するための携帯情報端末の動作手順を示すフローチャートであり、非接触データ処理ＯＮ／ＯＦＦ切り替えボタン押下時の動作手順を示す。ここでは、非接触部７０の非接触データ処理機能のＯＮ／ＯＦＦ切り替えを非接触データ処理ＯＮ／ＯＦＦ切り替えボタンの押下／非押下（押下解除）で切り替える携帯情報端末で決済処理が行われる例について説明する。
【００２４】
はじめに、携帯情報端末のユーザが、非接触データ処理機能をＯＮにするため、非接触データ処理ＯＮ／ＯＦＦ切り替えボタンを押下すると、ボタン管理部４０が押下を検知する（ステップＳ１０１）。ボタン押下の検知を伝達された制御部１０は、非接触管理部３０から取得して状態記憶部２０に記憶された情報に基づいて、携帯情報端末１００がＲ／Ｗ２００の圏内にあるかまたは圏外にあるかを判断する（ステップＳ１０２）。
【００２５】
携帯情報端末１００がＲ／Ｗ２００の圏内にある場合、制御部１０は、非接触管理部３０に非接触データ処理機能をＯＮにするように命令を行うので（ステップＳ１０３）、Ｒ／Ｗ２００は、非接触部７０との間で非接触データ処理を実行することができる（ステップＳ１０４）。
【００２６】
一方、携帯情報端末１００がＲ／Ｗ２００の圏外にある場合、制御部１０は、非接触管理部３０に非接触データ処理機能をＯＦＦにする（または機能ＯＦＦの状態を継続する）ように命令を行い（ステップＳ１０５）、表示管理部５０に圏外であるため非接触データ処理不可である旨を表示させる（ステップＳ１０６）。
【００２７】
以上のように、本実施の形態１の携帯情報端末では、非接触管理部３０が把握する通信可否の情報に基づいて、非接触データ処理ＯＮ／ＯＦＦ切り替えボタン押下時の動作内容が変化する。これにより、通信可否と非接触データ処理機能の有効又は無効とに応じた処理を実行できる為、通信可否の状態及びユーザの意図を反映させた適切な処理を実行できる。また、携帯情報端末が通信圏外にある場合には非接触データ処理が出来ない旨の表示が行われるので、ユーザは携帯情報端末の通信可否を把握することができる。
【００２８】
［実施の形態２］
図３は、本発明の実施の形態２を説明するための携帯情報端末の動作手順を示すフローチャートであり、非接触データ処理ＯＮ／ＯＦＦ切り替えボタン押下時の動作手順を示す。
【００２９】
はじめに、携帯情報端末のユーザが、非接触データ処理機能をＯＮにするために非接触データ処理ＯＮ／ＯＦＦ切り替えボタンを押下すると、ボタン管理部４０が押下を検知する（ステップＳ２０１）。ボタン押下の検知を伝達された制御部１０は、非接触管理部３０から取得して状態記憶部２０に記憶された情報に基づいて、携帯情報端末１００がＲ／Ｗ２００の圏内にあるかまたは圏外にあるかを判断する（ステップＳ２０２）。
【００３０】
携帯情報端末１００がＲ／Ｗ２００の圏内にある場合、制御部１０は、非接触管理部３０に非接触データ処理機能をＯＮにするように命令を行って、Ｒ／Ｗ２００は、非接触部７０との間で非接触データ処理を実行する（ステップＳ２０３）。制御部１０は、処理後に再び携帯情報端末１００がＲ／Ｗ２００の圏内にあるかまたは圏外にあるかを判断し（ステップＳ２０４）、圏内にある場合、表示管理部５０を介して表示部６０に、Ｒ／Ｗから携帯情報端末を離すように伝える旨の表示を行わせる（ステップＳ２０５）。一方、携帯情報端末１００が既に圏外にある場合、次に、携帯情報端末のユーザが非接触データ処理ＯＮ／ＯＦＦ切り替えボタンの押下を止めて、ボタン管理部４０が非接触データ処理ＯＮ／ＯＦＦ切り替えボタンの非押下を検知すると（ステップＳ２０６）、制御部１０は、非接触管理部３０に非接触データ処理機能のＯＦＦを命令する（ステップＳ２０７）。続いて制御部１０は、表示管理部５０を介して表示部６０に実行した非接触データ処理の結果を表示させる（ステップＳ２０８）。
【００３１】
一方、ステップＳ２０２において携帯情報端末１００がＲ／Ｗ２００の圏外にある場合、制御部１０は、非接触管理部３０に非接触データ処理機能をＯＦＦにする（または機能ＯＦＦの状態を継続する）ように命令を行い（ステップＳ２０９）、表示管理部５０に、圏外であるので携帯情報端末をＲ／Ｗに近づけるように伝える旨の表示を行わせる（ステップＳ２１０）。制御部１０は、表示後に再び携帯情報端末１００がＲ／Ｗ２００の圏内にあるかまたは圏外にあるかを判断し（ステップＳ２１１）、まだ圏外である場合はステップＳ２１０からの手順を繰り返す。一方、圏内に入った場合はステップＳ２０３からの手順に合流する処理を行う。通信圏外にある状態で前記機能の有効が選択された場合に、通信圏内へ誘導させる表示を行うことにより、情報処理端末が通信圏外にある場合であっても、表示を見たユーザが情報処理端末を通信圏内に移動させれば機能が有効になる為、ユーザの意図を反映させることができる。
【００３２】
以上のように、本実施の形態２の携帯情報端末では、非接触管理部３０が把握する通信可否の情報に基づいて、非接触データ処理ＯＮ／ＯＦＦ切り替えボタン押下時の動作内容が変化する。これにより、通信可否と非接触データ処理機能の有効又は無効とに応じた処理を実行できる為、通信可否の状態及びユーザの意図を反映させた適切な処理を実行できる。また、携帯情報端末が通信圏外にある場合には非接触データ処理が出来ない旨の表示が行われ、また非接触データ処理終了時には携帯情報端末を圏外に移動可能である旨の表示が行われるので、ユーザは携帯情報端末の位置状態を把握することができる。また、非接触データ処理から処理結果の表示までの一連の処理が一つのボタン操作で実行されるので、ユーザは、決済処理などの非接触データ処理を直感的に行える。
【００３３】
［実施の形態３］
図４は、本発明の実施の形態３を説明するための携帯情報端末の動作手順を示すフローチャートであり、非接触データ処理ＯＮ／ＯＦＦ切り替えボタン押下時の動作手順を示す。ここでは、非接触部７０の非接触データ処理機能のＯＮ／ＯＦＦ切り替えを非接触データ処理ＯＮ／ＯＦＦ切り替えボタンの長押し／再長押しで切り替える携帯情報端末で決済処理が行われる例について説明する。
【００３４】
はじめに、携帯情報端末のユーザが、非接触データ処理機能をＯＮにするために非接触データ処理ＯＮ／ＯＦＦ切り替えボタンを長押しすると、ボタン管理部４０が長押しを検知する（ステップＳ３０１）。一旦長押しが検知されると、次に再びボタンの長押し（ステップＳ３０６）が行われるまでその状態が維持されるので、ユーザはボタンから指を離してもかまわない。そのため、後述するように、その間にボタンの押下動作などにより別の処理を実行することが可能となる。尚、ステップＳ３０１からステップＳ３１１までのその他の手順は、図３のフローチャートのステップＳ２０１からステップＳ２１１までと同じであるので説明を省略する。
【００３５】
以上のように、本実施の形態３の携帯情報端末では、非接触管理部３０が把握する通信可否の情報に基づいて、非接触データ処理ＯＮ／ＯＦＦ切り替えボタン押下時の動作内容が変化する。これにより、通信可否と非接触データ処理機能の有効又は無効とに応じた処理を実行できる為、通信可否の状態及びユーザの意図を反映させた適切な処理を実行できる。特に、携帯情報端末が圏外にある場合には非接触データ処理が出来ない旨の表示が行われ、また非接触データ処理終了時には携帯情報端末を圏外に移動可能である旨の表示が行われるので、ユーザは携帯情報端末の位置状態を把握することができる。また、非接触データ処理から処理結果の表示までの一連の処理が一つのボタン操作で実行されるので、ユーザは、決済処理などの非接触データ処理を直感的に行える。
【００３６】
［実施の形態４］
図５は、本発明の実施の形態４を説明するための携帯情報端末の動作手順を示すフローチャートであり、非接触データ処理ＯＮ／ＯＦＦ切り替えボタン押下時の動作手順を示す。ここでは、状態記憶部の記憶内容に応じて処理内容を変化させる例として、非接触部７０の非接触データ処理機能のＯＮ／ＯＦＦ切り替えを非接触データ処理ＯＮ／ＯＦＦ切り替えボタンの押下／非押下で切り替える携帯情報端末で決済処理が行われる場合について説明する。また、それぞれの手順において状態記憶部２０に記憶されている記憶内容（非接触データ処理ＯＮ／ＯＦＦ切り替えボタンの押下状態、非接触管理部が把握する圏内または圏外の状態、表示部の表示状態）についても説明する。
【００３７】
はじめに、携帯情報端末１００がＲ／Ｗ２００の圏外に存在する状態では、状態記憶部２０の記憶内容は（ボタン＝非押下、非接触処理＝圏外、表示＝なし）である。非接触管理部３０が「圏外」を制御部１０へ通知している状態で、携帯情報端末１００のユーザが非接触データ処理ＯＮ／ＯＦＦ切り替えボタンを押下すると、ボタン管理部４０がボタンの押下を検知して制御部１０へ通知する（ステップＳ４０１）。その際に制御部１０は、状態記憶部２０の前の記憶状態（以下、事前状態と称する）が、（ボタン＝非押下、非接触処理＝圏外、表示＝なし）であるか否かを判断し（ステップＳ４０２）、一致する場合、制御部１０は非接触管理部３０を介して非接触データ処理機能をＯＮにする（ステップＳ４０３）。この時点で、状態記憶部２０の記憶内容は（ボタン＝押下中、非接触処理＝圏外、表示＝なし）である。一方、ステップＳ４０２で事前状態が一致しない場合は最初の状態に戻る。
【００３８】
次に、携帯情報端末１００がＲ／Ｗ２００の圏内に入ると、非接触管理部３０は「圏内」を制御部１０へ通知し、非接触部７０はＲ／Ｗ２００との間で非接触データ処理を実行する。処理後、非接触部７０には処理結果の書き込みが行われる（ステップＳ４０４）。この時点で、状態記憶部２０の記憶内容は（ボタン＝押下中、非接触処理＝圏内、表示＝なし）である。
【００３９】
その後、携帯情報端末１００が圏外に出ると、非接触管理部３０は「圏外」を制御部１０へ通知する。更に、携帯情報端末１００のユーザが非接触データ処理ＯＮ／ＯＦＦ切り替えボタンの押下を止めると、ボタン管理部４０はボタンの非押下を検知して制御部１０へ通知する（ステップＳ４０５）。制御部１０は、事前状態が（ボタン＝押下中、非接触処理＝圏内、表示＝なし）であるか否かを判断し（ステップＳ４０６）、一致する場合、制御部１０は非接触管理部３０を介して非接触データ処理機能をＯＦＦにする。更に、制御部１０は、非接触管理部３０を介して非接触部７０から取得した処理結果情報を表示管理部５０経由で表示部６０に表示させる（ステップＳ４０７）。この時点で、状態記憶部２０の記憶内容は（ボタン＝非押下、非接触処理＝圏外、表示＝処理結果）である。一方、ステップＳ４０６で事前状態が一致しない場合は最初の状態に戻る。
【００４０】
次に、非接触データ処理機能がＯＦＦの状態において、携帯情報端末１００のユーザが一回だけ非接触データ処理ＯＮ／ＯＦＦ切り替えボタンをクリック（即ち、ボタン押下からボタン非押下への状態変化）すると、ボタン管理部４０が押下を検知して制御部１０へ通知する（ステップＳ４０８）。制御部１０は、事前状態が（ボタン＝非押下、非接触処理＝圏外、表示＝残高表示なし）であるか否かを判断し（ステップＳ４０９）、一致する場合、制御部１０は表示管理部５０に残高表示を行う命令を通知する。表示管理部５０は、制御部１０、非接触管理部３０を介して非接触部７０から取得した残高情報を表示部６０に表示する（ステップＳ４１０）。この時点で、状態記憶部２０の記憶内容は（ボタン＝非押下、非接触処理＝圏外、表示＝残高）である。一方、ステップＳ４０９で事前状態が一致しない場合は最初の状態に戻る。
【００４１】
次に、携帯情報端末１００のユーザが再び一回だけ非接触データ処理ＯＮ／ＯＦＦ切り替えボタンをクリック（即ち、ボタン押下からボタン非押下への状態変化）すると、ボタン管理部４０が押下を検知して制御部１０へ通知する（ステップＳ４１１）。制御部１０は、事前状態が（ボタン＝非押下、非接触処理＝圏外、表示＝残高）であるか否かを判断し（ステップＳ４１２）、一致する場合、制御部１０は表示管理部５０に１つ前の購入履歴の表示を行う命令を通知する。表示管理部５０は、制御部１０、非接触管理部３０を介して非接触部７０から取得した購入履歴情報を表示部６０に表示する（ステップＳ４１３）。この時点で、状態記憶部２０の記憶内容は（ボタン＝非押下、非接触処理＝圏外、表示＝購入履歴）である。一方、ステップＳ４１２で事前状態が一致しない場合はステップＳ４０６の手順に戻る。
【００４２】
次に、携帯情報端末１００のユーザが更に一回だけ非接触データ処理ＯＮ／ＯＦＦ切り替えボタンをクリック（即ち、ボタン押下からボタン非押下への状態変化）すると、ボタン管理部４０が押下を検知して制御部１０へ通知する（ステップＳ４１４）。制御部１０は、事前状態が（ボタン＝非押下、非接触処理＝圏外、表示＝購入履歴）であるか否かを判断し（ステップＳ４１５）、一致する場合、制御部１０は表示管理部５０に更に１つ前の購入履歴の表示を行う命令を通知する。表示管理部５０は、制御部１０、非接触管理部３０を介して非接触部７０から取得した１つ前の購入履歴情報を表示部６０に表示する（ステップＳ４１６）。この手順を繰り返すことで、購入履歴情報を遡って表示させることができる。一方、ステップＳ４１２で事前状態が一致しない場合はステップＳ４０６の手順に戻る。
【００４３】
以上のように、同じ非接触データ処理ＯＮ／ＯＦＦ切り替えボタンを押下しても、状態記憶部２０の記憶内容によって、残高や購入履歴など、異なる表示処理を実行することができる。携帯情報端末のユーザは１つのボタンの操作で一連の非接触データ処理を行うことができる。また、非接触データ処理から処理結果、残高、購入履歴の表示までの一連の処理が一つのボタン操作で実行されるので、ユーザは、決済処理などの非接触データ処理を直感的に行える。
【００４４】
図６は、図５のフローチャートで示す手順に従って行われる処理を概念的に示した図である。Ｒ／Ｗ２００の通信圏外にあるときに、非接触データ処理ＯＮ／ＯＦＦ切り替えボタンの特殊な押下（例えば、ダブルクリックなど）により、更に別の情報を表示することも可能である。
【００４５】
［実施の形態５］
図７は、本発明の実施の形態５を説明するための携帯情報端末の動作手順を示すフローチャートであり、非接触データ処理ＯＮ／ＯＦＦ切り替えボタン押下時の動作手順を示す。ここでは、状態記憶部の記憶内容に応じて処理内容を変化させる例として、非接触部７０の非接触データ処理機能のＯＮ／ＯＦＦ切り替えを非接触データ処理ＯＮ／ＯＦＦ切り替えボタンの長押し／再長押しで切り替える携帯情報端末で決済処理が行われる場合について説明する。また、それぞれの手順において状態記憶部２０に記憶されている記憶内容（非接触データ処理ＯＮ／ＯＦＦ切り替えボタンの押下状態、非接触管理部が把握する圏内または圏外の状態、表示部の表示状態）についても説明する。
【００４６】
はじめに、携帯情報端末１００がＲ／Ｗ２００の圏外に存在する状態では、状態記憶部２０の記憶内容は（ボタン＝非押下、非接触処理＝圏外、表示＝なし）である。非接触管理部３０が「圏外」を制御部１０へ通知している状態で、携帯情報端末１００のユーザが非接触データ処理ＯＮ／ＯＦＦ切り替えボタンを長押しすると、ボタン管理部４０がボタンの押下を検知して制御部１０へ通知する（ステップＳ５０１）。その際に制御部１０は、事前状態が（ボタン＝非押下、非接触処理＝圏外、表示＝なし）であるか否かを判断し（ステップＳ５０２）、一致する場合、制御部１０は非接触管理部３０を介して非接触データ処理機能をONにする（ステップＳ５０３）。この時点で、状態記憶部２０の記憶内容は（ボタン＝長押し、非接触処理＝圏外、表示＝なし）である。一方、ステップＳ５０２で事前状態が一致しない場合は最初の状態に戻る。
【００４７】
次に、携帯情報端末１００がＲ／Ｗ２００の圏内に入ると、非接触管理部３０は「圏内」を制御部１０へ通知し、非接触部７０はＲ／Ｗ２００との間で非接触データ処理を開始する。そして、決済処理を確定する際に制御部１０は、表示管理部５０を介して表示部６０に購入を確定するか否かを問う旨の表示を行う（ステップＳ５０４）。
【００４８】
制御部１０は、非接触データ処理ＯＮ／ＯＦＦ切り替えボタンの押下を所定時間待つ（ステップＳ５０５）。購入を確定させる場合は携帯情報端末１００のユーザが非接触データ処理ＯＮ／ＯＦＦ切り替えボタンを１回だけクリックするので、ボタン管理部４０が押下を検知して制御部１０に通知する。一方、ステップＳ５０５で非接触データ処理ＯＮ／ＯＦＦ切り替えボタンの押下を検知しない場合は最初の状態に戻る。
【００４９】
非接触データ処理ＯＮ／ＯＦＦ切り替えボタンの押下を通知された制御部１０は、非接触管理部３０を介して非接触部７０とＲ／Ｗ２００との間の非接触データ処理を再開して決済処理を確定する。処理後、非接触部７０には処理結果の書き込みが行われる（ステップＳ５０６）。この時点で、状態記憶部２０の記憶内容は（ボタン＝長押し、非接触処理＝圏内、表示＝確認表示あり）である。
【００５０】
その後、携帯情報端末１００が圏外に出ると、非接触管理部３０は「圏外」を制御部１０へ通知する。更に、携帯情報端末１００のユーザが非接触データ処理ＯＮ／ＯＦＦ切り替えボタンの再長押しを行うと、ボタン管理部４０はボタンの押下を検知して制御部１０へ通知する（ステップＳ５０７）。その際に制御部１０は、事前状態が（ボタン＝非押下、非接触処理＝圏内、表示＝確認表示あり）であるか否かを判断し（ステップＳ５０８）、一致する場合、制御部１０は非接触管理部３０を介して非接触データ処理機能をOＦＦにする。更に、制御部１０は、非接触管理部３０を介して非接触部７０から取得した処理結果情報を表示管理部５０経由で表示部６０に表示させる（ステップＳ５０９）。この時点で、状態記憶部２０の記憶内容は（ボタン＝非押下、非接触処理＝圏外、表示＝処理結果）である。一方、ステップＳ５０８で事前状態が一致しない場合は最初の状態に戻る。
【００５１】
次に、非接触データ処理機能がＯＦＦの当該状態において、携帯情報端末１００のユーザが一回だけ非接触データ処理ＯＮ／ＯＦＦ切り替えボタンをクリック（即ち、ボタン押下からボタン非押下への状態変化）すると、ボタン管理部４０が押下を検知して制御部１０へ通知する（ステップＳ５１０）。制御部１０は、事前状態が（ボタン＝非押下、非接触処理＝圏外、表示＝残高表示なし）であるか否かを判断する（ステップＳ５１１）。一致する場合の以降の処理は、図５のフローチャートのステップＳ４１０からステップＳ４１６までの手順と同じであるので説明を省略する。一方、ステップＳ５１１で事前状態が一致しない場合は最初の状態に戻る。
【００５２】
以上のように、同じ非接触データ処理ＯＮ／ＯＦＦ切り替えボタンを押下しても、状態記憶部２０の記憶内容によって、残高や購入履歴など、異なる表示処理を実行することができる。携帯情報端末のユーザは１つのボタンの操作で一連の非接触データ処理を行うことができる。また、非接触データ処理から処理結果、残高、購入履歴の表示までの一連の処理が一つのボタン操作で実行されるので、ユーザは、決済処理などの非接触データ処理を直感的に行える。
【００５３】
図８は、図７のフローチャートで示す手順に従って行われる処理を概念的に示した図である。Ｒ／Ｗ２００の圏外にあるときに、非接触データ処理ＯＮ／ＯＦＦ切り替えボタンの特殊な押下（例えば、ダブルクリックなど）により、更に別の情報を表示することも可能である。
【００５４】
尚、実施の形態４と５では、Ｒ／Ｗ２００の圏外であっても非接触データ処理ＯＮ／ＯＦＦ切り替えボタンの押下を検知すると非接触データ処理機能をＯＮにしたが、実施の形態１から３で示したように、圏外の場合には非接触データ処理機能をＯＮにせず、非接触データ処理不可の表示を行うような構成としてもよい。
【００５５】
また、以上の実施の形態では、非接触データ処理機能をＯＦＦにしても携帯情報端末がＩＣカードやＩＣチップなどの非接触部のデータを取得可能な構成としたが、ＩＣカードまたはＩＣチップのデータを取得して携帯情報端末側に記憶させておく構成としてもよい。
【００５６】
更に、以上の実施の形態では、非接触データ処理機能のＯＮ／ＯＦＦを切り替える契機として、非接触データ処理ＯＮ／ＯＦＦ切り替えボタンの押下／非押下や長押し／再長押しについて説明したが、これにとらわれるものではなく、その他にもボタンの２回押し（ダブルクリック）／再２回押しや、ボタン以外に赤外線センサなどを設け、センサ部分への指の載置／非載置などでも実行可能であることは言うまでもない。
【００５７】
また、非接触データ処理ＯＮ／ＯＦＦ切り替えボタンは、通常のキー、ボタン類とは別に新たに設けてもよいし、ボタン操作部の既存のボタンやキーから携帯情報端末のユーザが任意に選択、設定して、上記所定のＯＮ／ＯＦＦ切り替え方法によりＯＮ／ＯＦＦ切り替え機能の割り当てを行うようにしてもよい。このようにすれば、例えば、紛失した携帯情報端末を拾得した者が悪意を持って非接触データ処理機能のＯＮ／ＯＦＦ切り替えを行うことを防止できる。
【００５８】
また、以上の実施の形態では、通信不可の状態で非接触データ処理機能をＯＮにした場合、通信圏内へ誘導させる表示を行う例を説明したが、通信可否の状態と機能の有効又は無効の選択結果との組み合わせに応じて、通信圏内又は通信圏外へ誘導させる出力を行うことができる。尚、この誘導出力は、表示に限らず、音声等による出力であってもよい。
【産業上の利用可能性】
【００５９】
本発明の情報処理端末は、実行手段の処理を前記選択内容及び前記検知結果に応じて切り替える制御手段を備えることにより、通信可否と機能の有効又は無効とに応じた処理を実行できる為、通信可否の状態及びユーザの意図を反映させた適切な処理を実行できる効果を有し、通信圏内にある情報処理装置との間で所定の機能を実行可能な情報処理端末等に有用である。
【図面の簡単な説明】
【００６０】
【図１】本発明の実施の形態を説明するための携帯情報端末の内部構成を示す図
【図２】本発明の実施の形態１を説明するための携帯情報端末の動作手順を示すフローチャート
【図３】本発明の実施の形態２を説明するための携帯情報端末の動作手順を示すフローチャート
【図４】本発明の実施の形態３を説明するための携帯情報端末の動作手順を示すフローチャート
【図５】本発明の実施の形態４を説明するための携帯情報端末の動作手順を示すフローチャート
【図６】図５のフローチャートで示す手順に従って行われる処理を概念的に示した図
【図７】本発明の実施の形態５を説明するための携帯情報端末の動作手順を示すフローチャート
【図８】図７のフローチャートで示す手順に従って行われる処理を概念的に示した図
【符号の説明】
【００６１】
１０  制御部
２０  状態記憶部
３０  非接触管理部
４０  ボタン管理部
５０  表示管理部
６０  表示部
７０  非接触部
１００  情報処理端末
２００  Ｒ／Ｗ
【図１】
2005339108.tif 000003
【図２】
2005339108.tif 000004
【図３】
2005339108.tif 000005
【図４】
2005339108.tif 000006
【図５】
2005339108.tif 000007
【図６】
2005339108.tif 000008
【図７】
2005339108.tif 000009
【図８】
2005339108.tif 000010